(57)【要約】【課題】帯状の作品に対する取付けが容易に行え、また作品を損傷したり汚したりすること無く任意に脱着でき、しかも作品の美的価値を全く損なうことなく展示することのできる軸木を提供することを目的とする。【解決手段】軸木１０が、軸に直交する断面の中心１１で屈曲交差する二つの分割面１２、１３で軸方向へと縦割りとされ、二つの分割面１２、１３のなす交差角θが小さくなる側の分割片を第一の分割片１０ａ、他側を第二の分割片１０ｂとしたとき、第一の分割片１０ａの外表面１４からいずれかの分割面１３に向けて貫通孔１５が設けられ、貫通孔１５と同軸となるねじ孔１６が、第二の分割片１０ｂの対応する分割面１３に設けられ、第一と第二の分割片１２、１３を重ね合わせ、ねじ孔１６のない側の分割面１２、１２同士の間にシート状の展示物３を挟むとともに、貫通孔１５から挿通したねじ部材１７を締め付けることによって、前記シート状の展示物３を分割片１０ａ、１０ｂ間に挟持固定するように構成されてなる。【選択図】図１
2004073693.tif 000002
【特許請求の範囲】
【請求項１】
軸木が、軸に直交する断面の中心で屈曲交差する二つの分割面で軸方向へと縦割りとされ、該二つの分割面のなす交差角が小さくなる側の分割片を第一の分割片、他側を第二の分割片としたとき、前記第一の分割片の外表面から前記いずれかの分割面に向けて貫通孔が設けられ、該貫通孔と同軸となるねじ孔が、前記第二の分割片の対応する分割面に設けられ、前記第一と第二の分割片を重ね合わせ、ねじ孔のない側の分割面同士の間にシート状の展示物を挟むとともに、前記貫通孔から挿通したねじ部材を締め付けることによって、前記シート状の展示物を分割片間に挟持固定するように構成されてなる掛け軸の軸木。
【請求項２】
請求項１の掛け軸の軸木において、展示物を挟む分割面に弾性を有する突条部を設け、該突条部で展示物を弾性的に挟持するようにされてなる掛け軸の軸木。
【請求項３】
請求項１又は２の掛け軸の軸木において、帯状をなす腰のあるシート状の補強部材であって、作品の縁に係合可能とされ、作品の縁に係合させた状態で分割面に介挿される取付補助具を備えた掛け軸の軸木。
【発明の詳細な説明】
【０００１】
【発明の属する技術分野】
この発明は、掛け軸の軸木に関する。
【０００２】
【従来の技術】
従来、タペストリーやパッチワーク、刺繍、レース編布、染物のような帯状の作品を展開して展示する場合、作品の上下縁に軸木を取付け、作品上縁の軸木に下げ紐を取り付けて吊り下げるとともに、上下縁に取り付けた軸木によって作品を面状に広げて展示する場合がある。
【０００３】
【発明が解決しようとする課題】
このような展示方法で作品に軸木を取り付ける場合、従来は、図８に示すように作品３の上下縁３ａ、３ａを裏面側へ折り返して筒状部３ｂ、３ｂを形成し、その中に軸木１、１を挿通すること（例えば特開２０００−１３９６５０号公報の「図２」）や、図８に示すように、二つ割りにした軸木１の分割面２に、作品３の縁３ａを挟んでビスなどの締結具４、４で一体的に締め付け固定したり、あるいは接着剤で接着したりすることが行われている。
【０００４】
しかし、前者の作品の上下縁に筒状部を形成する方法は、前掲のような帯状物自体が作品である場合は、作品の輪郭形態を損ねるので展示手段としては適当でない。
【０００５】
一方、後者の場合は、軸木１の二つ割れとした分割片１ａ、１ｂが同じ形状なので、注意していないと図示例のように締付けの締結具４、４が作品３の正面側にあらわれ、展示が不都合となったり、ねじなどの締結具４、４が作品３の縁３ａ部分を貫通して傷つけてしまう等の問題があった。
【０００６】
さらに、軸木１の分割面２のうち下面部分２ａが作品３の展示高さによっては正面下方から見えたりすることがあり、あまり好ましくない展示態様となる問題があった。
【０００７】
一方上記の締結具４、４に代え、軸木１に作品を直接接着してしまう方法は、締結具使用のような不都合は無い反面、展示終了後、作品を軸木から剥がす時に作品を傷めたり汚損することがある問題があった。
【０００８】
この発明は、上記問題を解消し、作品に対する取付けが容易に行え、また作品を損傷したり汚したりすること無く任意に脱着でき、しかも作品の美的価値を全く損なうことなく展示することのできる軸木を提供することを目的としてなされたものである。
【０００９】
【課題を解決するための手段】
上記課題を解決するため、請求項１の掛け軸の軸木は、軸木が、軸に直交する断面の中心で屈曲交差する二つの分割面で軸方向へと縦割りとされ、該二つの分割面のなす交差角が小さくなる側の分割片を第一の分割片、他側を第二の分割片としたとき、前記第一の分割片の外表面から前記いずれかの分割面に向けて貫通孔が設けられ、該貫通孔と同軸となるねじ孔が、前記第二の分割片の対応する分割面に設けられ、前記第一と第二の分割片を重ね合わせ、ねじ孔のない側の分割面同士の間にシート状の展示物を挟むとともに、前記貫通孔から挿通したねじ部材を締め付けることによって、前記シート状の展示物を分割片間に挟持固定するように構成されてなるものである。
【００１０】
従って、この請求項１の掛け軸の軸木によれば、第一の分割片と第二の分割片を締結する締結具を締付る面を展示物の裏側とすれば、締結具は軸木の裏側に隠され、しかも分割面も垂直下方より裏面側へと偏移されるので分割線が作品正面側から見えにくく、これら軸木の分割構造が作品外観に与える影響が無くなる。
【００１１】
特に軸木自体に、その正面側に装飾を施す場合は、分割面が正面より裏面側に偏移されているので正面側から見た装飾の外観に影響を与えることはない。
請求項２の掛け軸の軸木は、上記の請求項１の掛け軸の軸木において、垂直方向の分割面に弾性を有する突条部を設け、該突条部で展示物を弾性的に挟持するようにされてなるものである。
【００１２】
従って、厚さの薄いシート状の展示物に対しても固定が確実となる。
請求項３の掛け軸の軸木は、前記請求項１又は２の掛け軸の軸木において、帯状をなす腰のあるシート状の補強部材であって、作品の縁に係合可能とされ、作品の縁に係合した状態で分割面に介挿される取付補助具を備えたものである。
【００１３】
この発明によれば、布のような腰のない作品であっても、その縁に取付け補助具を係合させることによって縁が真っ直ぐに伸びた状態となり、軸木に対する取り付けが容易になる。
【００１４】
【発明の実施の形態】
次に、この発明の実施の形態を説明する。
実施の形態１
図１は、この発明の実施の形態１の掛け軸の軸木の分解斜視図、図２は同じく軸木の拡大側面図、図３は図１のＡ−Ａ線矢視断面図を示す。
【００１５】
図１〜図３において、掛け軸の軸木１０は、軸に直交する断面が円形とされた木製ないしは合成樹脂製の棒状体であって、本体断面の中心１１で屈曲した径方向分割面１２、１３で軸方向へ縦割りに分割されており、分割面１２、１３のなす交差角θ、α（図２）のうち小さくなる交差角θの側を第一の分割片１０ａ、他側を第２の分割片１０ｂとしたとき、第１の分割片１０ａの外表面１４から分割面１３へ向けて貫通孔１５が図３に示すように穿設され、この貫通孔１５と同軸となるねじ孔１６が第二の分割片１０ｂの対応する分割面１３に設けられ、貫通孔１５よりねじ孔１６にねじ１９をねじ込むことにより第一、第二の分割片１０ａ、１０ｂが円柱状の軸木１０に組み立てられるようにされている。
【００１６】
なお、上記交差角θは、９０°より大きく１８０°より小さい角度、望ましくは１３５°±２０°前後とされている。この理由は、１１０°より小さいと分割面１３が正面側から見えやすくなり、１５５度より大きくなると、ねじによる締め付けの際、分割面１２、１２間に作品を挟んだときの挟持力が小さくなり、薄い作品の場合は挟持力が十分でなくなるからである。
【００１７】
また、分割面１３に設けられるねじ孔１６は、軸木１０が木質の場合は、ねじ孔１６用孔１６ａ内に外面にねじ筋１７ａを有するナット１７をねじ込むことや雌ねじ孔を有する筒状部材（図示せず）をねじ孔１６用孔１６ａに打ち込むことにより取付けられ、また、軸木１０本体が合成樹脂製の場合は、直接ねじ孔１６を本体に形成しあるいは前記と同様ナット１７を埋設した構造とされる。
【００１８】
なお、図示例はナット１７の先端部を分割面１３から少し突出させ、この突出部１７ｂを第一の分割片の貫通孔１５に嵌合可能とし、位置合わせ用の突部としている。
【００１９】
なお、図２、図３において、符号２０で示す部材は、ゴム状弾性を有する材質とされた突条を示し、作品を弾性的に挟持するためのもので、図４に示すように第一の分割片１０ａの分割面１２表面に、軸木１０の長さ方向ほぼ全長にわたって設けられている。ゴム状弾性を有する素材としてはウレタン、発泡ウレタン、発泡ポリスチレン等の合成樹脂の突条などが好適に使用される。また、突条２０表面に、図示のように細かい凹凸を設け支持力を増すようにしてもよい。また、これら突条２０は、第一、第二の分割片のねじ孔のない側の分割面１２のいずれか一方側に設けられる。
【００２０】
次に、実施の形態１の掛け軸の軸木の使用状態を説明する。
図１に示したように、前掲したタペストリーやパッチワークなどのようなシート状作品３の下端３ａに、軸木１０の第二の分割片１０ｂを作品３の正面側に、第一の分割片１０ａを裏面側になるように配置し、ねじ孔のない側の分割面１２、１２間に作品を挟み、軸木１０の作品裏側に開口する貫通孔１５から、ねじ１９を挿入し、第２の分割片１０ｂのねじ孔１６にねじ込んで両分割片１０ａ、１０ｂを締結固定する。
【００２１】
このとき、ねじ込み方向は図３に示すように分割面１３に対して垂直方向であるが、他の分割面１２に対しては傾斜角（θ−９０°）の斜方向となり、分割面１２の垂直方向に対しても締め付け力が発揮され、作品３が軸木１０に固定される。
【００２２】
作品の上縁についても同様にして軸木１０を取り付け、図５に示すように上縁の軸木１０に吊下紐２０を取り付けて吊下する。
なお、図２〜図４に示すように、分割面１２に弾性を有する突条１８を設けた場合は、より確実に作品を挟持することができる。
【００２３】
この時、軸木１０の垂直となる分割面１２に対してねじ１９のねじ込まれる分割面１３は軸木１０の垂直下方より後面側に偏移しているので、正面側からは見えず、また、ねじ込まれたねじ１９も、軸木１０正面に隠されて見えない。
【００２４】
さらに、軸木１０の正面側には、第二の分割片１０ｂが存在し、その表面が軸木下面より裏面側へと回りこんだ状態となっているので、分割面が作品の正面側からも見えにくく不都合な展示となることがなく、さらに、軸木１０正面に彫刻などの装飾を施してあっても、正面側からは、分割面１３で分断されたように見えない。したがって、適正な展示態様とすることができる。
実施の形態２
図６は、実施の形態２の掛け軸の軸木の分解斜視図を示す。
【００２５】
この実施形態２の軸木は実施形態１の軸木に比し、作品下縁に取付けられる取付け補助具２１を備えた点だけで、他は同じであるので同じ部分は同一符号を付すことで説明は省略し、異なる部分のみを説明する。
【００２６】
この実施形態２の掛け軸の軸木１において、取付け補助具２１は腰のある薄いシート状体、例えば腰のある帯状のプラスチック板を幅方向中心線で二つ折れにしたもので作品３の下縁３ａに挟みつけ、かつ、このように係合した状態で軸木１の垂直方向の分割面１２に介挿されるように構成されている。
【００２７】
この取付け補助具２１は、作品３と確実に係合するように対向面に作品を傷つけない程度の凹凸２１ａ…を形成しても良く、また、この場合、軸木の分割面との係合性を良くするために、凹凸２１ａが外面にまで現れるようにすることが望ましい。
【００２８】
この取付け補助具２１は、作品３を軸木１に取り付ける前に、まず、作品３の縁３ａに挟みつけて弾性を利用して係合し、次いで図７に示すように軸木１に取り付ける。
【００２９】
この場合、カール癖のある作品や、布のように腰が無く、直線状に張りにくい作品の場合に、前もって取り付けておけば、軸木１０に対する取付けが容易となる。
【００３０】
【発明の効果】
以上説明したように、この発明の掛け軸用軸木は、軸木を中心部分で屈曲する分割面で分割し、垂直分割面間で挟んだ作品を、軸木裏面側に偏移させた分割面に設けた締結部で締結するので、締結部や作品をはさまない側の分割面が軸木正面側から見えず、展示時の外観が非常に良くなる。
【００３１】
また、作品を軸木に取り付ける場合、屈曲した分割部の折れ線が軸木の中心軸に沿っているので、この中心線に揃えるように作品の縁を設置すれば縁を揃えやすく、締結固定も容易に行える効果を有する。
【００３２】
さらに、軸木表面に装飾を施した場合、その装飾が軸木下面の分割面によって不連続となっても、その部分は軸木の裏面側に隠れてしまうので正面側からの外観は良いなどの効果を有する。
【００３３】
また、作品を挟む分割面にゴム状弾性を有する突条を形成すればさらに作品の装着力が向上する。
そして、作品の縁に係合可能な補助具を組み合わせることによって、腰のない布状の作品であっても容易に取り付けることが可能となる。
【図面の簡単な説明】
【図１】この発明の実施の形態１である掛け軸の軸木の分解斜視図である。
【図２】同じく側面図である。
【図３】図１のＡ−Ａ線断面図である。
【図４】実施の形態２である掛け軸の軸木の分解斜視図である。
【図５】使用状態を示す斜視図である。
【図６】この発明の実施の形態２である掛け軸の軸木の分解斜視図である。
【図７】同じく要部拡大断面図である。
【図８】従来例の一例を示す側面図である。
【図９】従来例の一例を示す要部斜視図である。
【符号の説明】
１　　従来の掛け軸の軸木
２　　分割面
３　　作品
４　　ビスなどの締結具
１０　　本発明の掛け軸の軸木
１０ａ　第一の分割片
１０ｂ　第２の分割片
１１　　本体断面の中心
１２　　径方向分割面
１３　　径方向分割面
１４　　第１の分割片の外表面
１５　　貫通孔
１６　　ねじ孔
１７　　ナット
１９　　ねじ
２０　　ゴム状弾性を有する突条
２１　　取付け補助具
【図１】
2004073693.tif 000003
【図２】
2004073693.tif 000004
【図３】
2004073693.tif 000005
【図４】
2004073693.tif 000006
【図５】
2004073693.tif 000007
【図６】
2004073693.tif 000008
【図７】
2004073693.tif 000009
【図８】
2004073693.tif 000010
【図９】
2004073693.tif 000011